(57)【要約】【課題】簡易な構成で、トレー上の食器を斜めに保持することができる。その結果、食器内の食べ物の残存物や残存量の視認が容易となり、食べ残しの防止に資する食器用トレーを提供する。【解決手段】食器（３）が挿入される挿入部(２Ａ１)が上面(２Ａ)に形成されたマット状の基体（２）と、この挿入部(２Ａ１)に挿入された食器（３）を、基体（２）が載置される載置面（Ｄ）に対して傾斜させて保持する傾斜保持手段と、を有してなる。【選択図】図１
2010006410.tif 000002
【特許請求の範囲】
【請求項１】
食器を傾斜させて保持する傾斜保持手段を有してなることを特徴とする食器用トレー。
【請求項２】
マット状の基体を備え、
上記基体の上面には、食器が挿入される挿入部が形成され、
上記挿入部は上記傾斜保持手段を構成し、この挿入部に挿入される食器の挿入方向は上記基体の底面に対して斜め方向である請求項１記載の食器用トレー。
【請求項３】
上記基体の上面は、上記基体の底面に対する傾斜面として形成され、
上記挿入部の深さ方向は、上記基体の上面に対して略垂直方向である請求項２記載の食器用トレー。
【請求項４】
上記基体の上面と底面とは略平行で、
上記挿入部の深さ方向は、上記基体の上面に対して斜め方向である請求項２記載の食器用トレー。
【請求項５】
マット状の基体を備え、
上記基体の上面には、食器が挿入される挿入部が形成され、
上記基体には、起倒可能な脚部が設けられ、
上記脚部は上記傾斜保持手段を構成し、この脚部を起こすことで上記挿入部に挿入される食器を傾斜させる請求項１記載の食器用トレー。
【請求項６】
上記基体の上方を覆う蓋部材を備え、
上記蓋部材には、上記挿入部に挿入された食器の上縁部近傍を保持可能な挿入穴が形成されている請求項２乃至５のいずれかに記載の食器用トレー。
【請求項７】
上記挿入穴の周縁には、上記挿入部に挿入された食器の側面を挟持する保持手段が設けられている請求項６記載の食器用トレー。
【請求項８】
上記挿入穴には、径方向に拡縮可能なリップ片が周方向に沿って多数形成された保持手段を装填可能である請求項６に記載の食器用トレー。
【請求項９】
上記保持手段は、高摩擦係数を有する材料が用いられる請求項７または８記載の食器用トレー。
【請求項１０】
平皿状の基体と、
上記基体の上方を覆う蓋部材と、
を備え、
上記基体と蓋部材とは、上記基体に取り付けられたときの上記蓋部材の上面が上記基体の底面に対して傾斜するように形成されていて、
上記蓋部材には、挿入穴が設けられていて、
上記傾斜保持手段は、上記挿入穴で構成されている請求項１記載の食器用トレー。
【請求項１１】
マット状の基体を備え、
上記基体の上面と底面とは略平行で、
上記基体の上面には、食器が挿入される挿入部が形成され、
上記傾斜保持手段は、上記基体を搭載する枠体で構成され、
上記枠体には、転動可能なコロ部材が設けられ、
上記コロ部材は、回転中心からの距離が異なる複数の面を有し、
上記複数の面のうち一の面が上記枠体の設置面と対向したとき、上記挿入部に挿入された食器が傾斜する請求項１記載の食器用トレー。
【請求項１２】
上記複数の面は、おおむね平坦面もしくは平坦面に近い曲率半径を持ち、
上記複数の面の連続位置は、上記コロ部材の回転を許容する曲率半径を持つ曲面である請求項１１記載の食器用トレー。
【請求項１３】
上記基体の底面には、使用者に対する左右方向に延びる多数の凹凸が使用者に対する手前側から奥側に向けて形成されている請求項１乃至１２のいずれかに記載の食器用トレー。
【請求項１４】
上記凹凸は、鋸歯状の断面形状である請求項１３記載の食器用トレー。
【発明の詳細な説明】
【技術分野】
【０００１】
本発明は、食器用トレーに関し、より具体的には、簡易な構成により、トレー上の食器を斜めに保持することができる保持構造に関する。
【背景技術】
【０００２】
たとえば、高齢者など、手は動くものの、食器を手に持つことができない場合がある。
そこで、従来では、食器を直接持たずにすむ食器用トレーが提案されている（例えば、特許文献１，２参照。）。
特許文献１および２には、トレーとなる基体にコップなどの食器を挿入可能な穴を設け、その穴に食器の側面に当接可能なリップ部を設けることで穴に挿入された食器が倒れないように保持する構成が開示されている。
【０００３】
しかし、手は動くものの食器を持ち続けることが困難な高齢者が食事をとる場合、特許文献１，２に開示されているように食器が鉛直方向に挿入されるだけの構成であると、食器内の食べ物をかき混ぜることや、残った食べ物をすくい取ることなどが困難な場合がある。
【０００４】
そこで、従来では、鉛直方向に挿入した食器を傾けることができる構成も提案されている（例えば、特許文献３参照。）。
特許文献３には、回転テーブルに複数形成されている保持穴に挿入された食器の底面側に食器の底部が挿入されるディスクを設け、ディスクの周方向に沿って複数設けられているプランジャ部材によってディスクの周方向の一部を突き上げることで食器を傾けるようにした構成が開示されている。
【０００５】
しかし、食器を傾けることができる特許文献３に開示された構成では、鉛直方向に挿入した食器を傾けるための構成が複雑となることは否めず、しかも、このような装置を予め食事をとる者の位置に準備しなければならないことから、その装置の設置や取り除きに手間がかかるという問題がある。
【特許文献１】特開平９−９５３２６号公報
【特許文献２】特開２００６−２７３４２４号
【特許文献３】特開２００４−８３２７号
【発明の開示】
【発明が解決しようとする課題】
【０００６】
本発明は、以上のような従来技術の問題点を解消するためになされたもので、簡易な構成により、トレー上の食器を斜めに保持することができる食器用トレーを提供することを目的とする。
【課題を解決するための手段】
【０００７】
本発明にかかる食器用トレーは、食器を傾斜させて保持する傾斜保持手段を有してなることを特徴とする。
【０００８】
また、本発明にかかる食器用トレーは、マット状の基体を備え、基体の上面には、食器が挿入される挿入部が形成され、挿入部は傾斜保持手段を構成し、この挿入部に挿入される食器の挿入方向は基体の底面に対して斜め方向であることを特徴とする。
【０００９】
また、本発明にかかる食器用トレーは、基体の上面は、基体の底面に対する傾斜面として形成され、挿入部の深さ方向は、基体の上面に対して略垂直方向であることを特徴とする。
【００１０】
また、本発明にかかる食器用トレーは、基体の上面と底面とは略平行で、挿入部の深さ方向は、基体の上面に対して斜め方向であることを特徴とする。
【００１１】
また、本発明にかかる食器用トレーは、マット状の基体を備え、基体の上面には、食器が挿入される挿入部が形成され、基体には、起倒可能な脚部が設けられ、脚部は傾斜保持手段を構成し、この脚部を起こすことで挿入部に挿入される食器を傾斜させることを特徴とする。
【００１２】
また、本発明にかかる食器用トレーは、基体の上方を覆う蓋部材を備え、蓋部材には、挿入部に挿入された食器の上縁部近傍を保持可能な挿入穴が形成されていることを特徴とする。
【００１３】
また、本発明にかかる食器用トレーは、挿入穴の周縁には、挿入部に挿入された食器の側面を挟持する保持手段が設けられていることを特徴とする。
【００１４】
また、本発明にかかる食器用トレーは、挿入穴には、径方向に拡縮可能なリップ片が周方向に沿って多数形成された保持手段を装填可能であることを特徴とする。
【００１５】
また、本発明にかかる食器用トレーは、保持手段は、高摩擦係数を有する材料が用いられることを特徴とする。
【００１６】
また、本発明にかかる食器用トレーは、平皿状の基体と、基体の上方を覆う蓋部材と、を備え、基体と蓋部材とは、基体に取り付けられたときの蓋部材の上面が基体の底面に対して傾斜するように形成されていて、蓋部材には、挿入穴が設けられていて、傾斜保持手段は、挿入穴で構成されていることを特徴とする。
【００１７】
また、本発明にかかる食器用トレーは、マット状の基体を備え、基体の上面と底面とは略平行で、基体の上面には、食器が挿入される挿入部が形成され、傾斜保持手段は、基体を搭載する枠体で構成され、枠体には、転動可能なコロ部材が設けられ、コロ部材は、回転中心からの距離が異なる複数の面を有し、複数の面のうち一の面が枠体の設置面と対向したとき、挿入部に挿入された食器が傾斜することを特徴とする。
【００１８】
また、本発明にかかる食器用トレーは、複数の面は、おおむね平坦面もしくは平坦面に近い曲率半径を持ち、複数の面の連続位置は、コロ部材の回転を許容する曲率半径を持つ曲面であることを特徴とする。
また、本発明にかかる食器用トレーは、基体の底面には、使用者に対する左右方向に延びる多数の凹凸が使用者に対する手前側から奥側に向けて形成されていることを特徴とする。
また、本発明にかかる食器用トレーは、凹凸は、鋸歯状の断面形状であることを特徴とする。
【発明の効果】
【００１９】
本発明によれば、簡易な構成で、トレー上の食器を斜めに保持することができる。その結果、食器内の食べ物の残存物や残存量の視認が容易となり、食べ残しの防止に資する。
【００２０】
また、本発明によれば、トレー上の食器を使用者が持たなくても、片手で食器内の食べ物をかき混ぜることもできる。
【発明を実施するための最良の形態】
【００２１】
以下、図面を参照しながら、本発明にかかる食器用トレーの実施の形態について説明する。
【００２２】
図１（Ａ）は、本発明にかかる食器用トレーの実施の形態を示す斜視図である。
食器用トレー１は、摩擦係数が比較的高く耐熱性を持つ材質が用いられているマット状の基体２で構成されている。基体２の上面２Ａには、食器が挿入（載置）される挿入部２Ａ１が形成されている。
また、食器用トレー１には、挿入部２Ａ１に挿入された食器を、食器用トレー１が載置される載置面、たとえば、食器用トレー１が載置されるテーブルの表面に対して傾斜させて保持する傾斜保持手段が設けられている。
【００２３】
図１（Ｂ）は、同図（Ａ）のＢ−Ｂ断面図であり、基体２の上面２Ａが基体２の底面２Ｂに対して傾斜面として形成されていることを示している。すなわち、基体２の底面２Ｂから上面２Ａまでの距離は、同図左側が同図右側より短い。したがって、たとえば、図１（Ｂ）の左側が食事をとる者、つまり、食器用トレー１の使用者側とし、同図の右側が使用者からみて奥側とすれば、食器用トレー１上の食器３は、使用者側に傾いた状態で食器用トレー１上に載置されることになる。
【００２４】
ここで、図１（Ｂ）に示す上面２Ａの傾斜角（θ）、つまり、底面２Ｂと対向するテーブルなど食器用トレー１の載置面と基体２の上面２Ａとの間の角度としては、基体２に装填される食器が倒れないで、しかも、食器内の食べ物が溢れない程度であればよい。また、傾斜角（θ）は、食器用トレー１の使用者が箸やスプーンを食器３に入れやすい角度であればよい。
【００２５】
上面２Ａには、複数の挿入部２Ａ１が形成されている。
挿入部２Ａ１は、図１（Ｂ）に示すように、食器の下端側の外形に合った形状の凹部で構成されている。
凹部の深さ方向は、上面２Ａに対して略垂直方向で、凹部の底面は上面２Ａと平行している。
なお、凹部の深さは、食器３の底部近傍を沈み込ませることができる程度に設定されている。また、凹部の外形寸法は、挿入される食器３の下端側の外面（側面）に当接して食器３との間で摩擦的な係合によって保持できる寸法に設定されている。
【００２６】
以上説明した実施の形態によれば、挿入部２Ａ１に挿入された食器３は、使用者側に傾斜した状態で食器用トレー１に保持されるため、使用者は食器３内の食べ物の視認が容易となり、箸などを食器３内に差し入れやすい。
また、使用者は、食器３内の手前側に寄っている食べ物を箸などで取りやすくなる。
さらに、食器３の外周面が挿入部２Ａ１の内周面に摩擦的な係号により保持されて、挿入部２Ａ１内での食器３の移動（回転）が制限される。そのため、使用者は食器３を持つことなく、食器３内に差し入れた箸などで、食器３内の食べ物、たとえば、納豆をかき混ぜることができる。
【００２７】
なお、図１には、挿入部２Ａ１の例として有底の凹部を示しているが、本発明において挿入部は、挿入された食器が抜け落ちなければ、たとえば、貫通孔で構成してもよい。
【００２８】
次に、本発明にかかる食器用トレーの別の実施の形態について、先に説明した実施の形態と異なる部分を中心に説明する。
【００２９】
先に説明した実施の形態は、基体の底面に対して傾斜面として形成された上面に食器の挿入部が形成されていて、挿入部の深さ方向が上面の面方向に対して略垂直方向に設定されたものであった。この構成により、挿入部に挿入された食器を、食器用トレーが載置された載置面に対して傾斜させて保持することができる。
一方、本実施の形態は、マット状の基体の上面と底面とは略平行に形成されていて、基体そのものを傾ける構成を備えたものである。
【００３０】
図２は、マット状の基体２を傾けるための構成を示す図であり、同図においてマット状の基体２は上面２Ａおよび底面２Ｂが平行している。
マット状の基体２における使用者から見て奥側の両端側部には、それぞれ、基体２の側面に平行して起倒可能に支持されている脚部５０が設けられている。
脚部５０は、バネ性を有する平板で構成され、その一端が基端として基体２Ａの側面に支持されている。
【００３１】
脚部５０の基端には、図示しないが、凹部が形成され、この凹部に対向する基体２側には凹部に係脱可能な凸部が形成されている。凸部は、９０°の位相が設定された位置にそれぞれ設けられており、脚部５０を９０°揺動した位置でそれぞれ係止するようになっている。
脚部５０が起立する際の揺動半径は、基体２の上面２Ａと食器用トレー１の載置面Ｄとの間の角度として角度θが得られる半径に設定されている。
【００３２】
このような構成においては、図２（Ｂ）に示すように、基体２Ａの側面に重なるように脚部５０が倒されていると、基体２Ａの底面２Ｂは食器用トレー１の載置面Ｄに対して密着する。
一方、脚部５０が基体２Ａの側面に平行して揺動することにより起立されると、図２（Ｃ）に示すように、基体２の奥側が載置面Ｄから浮き上がり、基体２の上面２Ａが載置面Ｄとの間の角度θとなるように傾斜される。その結果、上面２Ａに形成された挿入部２Ａ１に挿入されている食器３は、載置面Ｄに対して傾斜された状態で食器用トレー１に保持される。
【００３３】
以上説明した実施の形態によれば、上面２Ａと底面２Ｂとが平行しているマット状の基体２に起倒可能な脚部５０を起立させたとき、上面２Ａに設けられた凹部に挿入された食器を、食器用トレー１の載置面Ｄに対して傾斜した状態で保持することができる。
【００３４】
なお、これまで説明した実施の形態では、上面に形成される凹部の深さ方向が、上面に対して略垂直方向であったが、これに代えて、深さ方向が上面に対して斜め方向となる凹部を上面に形成してもよい。
このような深さ方向が上面に対して斜め方向に形成された凹部を備えた食器用トレーの場合、基体の上面と底面とが略平行に形成されていても、図２に示したような脚部５０なしに、凹部に挿入された食器を食器用トレーの載置面に対して傾斜した状態で保持することができる。
【００３５】
また、深さ方向が上面に対して略垂直方向となる凹部の底部に塑性変形可能なゲル状物質を充填し、食器を傾けた状態でゲル状物質に押し込む構成としてもよい。このような構成を備えることで、食器用トレーの基体の上面と底面とが略平行に形成されていて、上面に形成される凹部が、その深さ方向が上面に対して略垂直方向となるように形成されていても、図２に示した脚部５０なしに、凹部に挿入された食器を食器用トレーの載置面に対して傾斜した状態で保持することができる。
【００３６】
次に、本発明にかかる食器用トレーの別の実施の形態について、先に説明した実施の形態と異なる点を中心に説明する。
【００３７】
本実施の形態は、これまで説明した実施の形態で用いた基体の上方を覆う蓋部材を備えたものである。
図３は、本実施の形態を示す図であり、（Ａ）は食器用トレー１の斜視図、（Ｂ）は（Ａ）のＢ−Ｂ断面図である。同図に示すように、食器用トレー１には、マット状の基体２の上方を覆うことができる蓋部材４が設けられている。
蓋部材４は、挿入部２Ａ１内に装填されている食器３の上縁部近傍を保持するために、比較的摩擦係数が高い、食器挿入穴４Ａを有する部材である。
食器挿入穴４Ａは、食器３の外面を挟持できる寸法に形成されている。また、食器用挿入穴４Ａは、蓋部材４を基体２に取り付けたときに、基体２の上面２Ａに設けられた挿入部２Ａ１に対向する位置に形成されている。
【００３８】
蓋部材４は、挿入部２Ａ１に装填された食器３の上縁部近傍が食器挿入穴４Ａ内に嵌め込まれた状態を呈し、食器３の上縁部近傍、つまり、挿入部２Ａ１に挿入されている食器３の底部よりも高い位置で食器３を保持する。これにより、挿入部２Ａ１に挿入されている食器の食器用トレー１上での転倒防止効果を高めることができる。
【００３９】
図４は、蓋部材４に形成されている食器挿入穴４Ａの外周縁に装着可能な、食器３の傾斜保持をより確実にするための部材としての保持手段５の例を示す斜視図である。つまり、保持手段５は、蓋部材４の食器挿入穴４Ａ内に装着される部材である。
保持手段５は、ゴムなどの高摩擦係数を有する素材のリング材で構成されていて、周方向に沿って複数箇所に径方向にスリットが形成されて径方向に拡縮可能なリップ片５Ａを備えている。
なお、食器挿入穴４Ａに保持手段５を取り付けた場合、食器３を保持するのは、食器挿入穴４Ａそのものではなく、食器３が当接する保持手段５である。
【００４０】
図４（Ｂ）は、蓋部材４の食器挿入穴４Ａ内に保持手段５が装着されている状態を示す図である。同図において、保持手段５は、リップ片５Ａが食器３の外面に倣って倒れ込むこんだ際に生じる形状復元力によって食器の外面を挟持する。
つまり、保持手段５は、蓋部材４の食器挿入穴４Ａ内に装着されて使用され、食器挿入部２Ａ１内に装填された食器３の上縁部が蓋部材４の食器挿入口４Ａ内に嵌め込まれると、食器挿入穴４Ａに装着されている保持手段５のリップ片５Ａが食器３の外面に倣って倒れ込むことで発生する形状復元力を利用して食器３の外面に密着する。これにより、食器３と蓋部材４との間で食器３がガタ付くことなく保持される。この結果、使用者が食器内の食べ物をかき混ぜたりした場合にも食器の保持を安定して行うことができる。
【００４１】
以上説明した実施の形態によれば、基体２の上面２Ａ側に取り付け可能な蓋部材４に設けられた食器挿入穴４Ａが、基体２の上面２Ａに設けられた挿入部２Ａ１に装填された食器の上縁部を保持することで、食器用トレー１上の食器の転倒防止効果を高めることができる。
また、ゴム製で、径方向に拡縮可能なリップ片５Ａを供えた保持手段５を食器挿入穴４Ａ内に装着することで、食器挿入穴４Ａに挿入される食器３は保持手段５に挟持される。その結果、蓋部材４による食器３の保持効果を高めることができる。
【００４２】
ここで、これまで説明してきた実施の形態における食器用トレーを構成する基体は、挿入穴２Ａ１が形成されたマット状のものであった。しかし、本発明にかかる食器用トレーを構成する基体の別の例としては、たとえば、食器を挿入するための挿入穴の形成されていない平皿状の基体を用いるようにしてもよい。
【００４３】
すなわち、たとえば、本発明にかかる食器用トレーは、平皿状の基体と、この基体の上方を覆う蓋部材とで構成されたものとしてもよい。
蓋部材の例としては、図３に示した蓋部材４などがある。蓋部材の上面が平皿状の基体の底面に対する傾斜面となるように、蓋部材あるいは基体を形成しておくことで、蓋部材の上面に形成された食器挿入穴に挿入された食器は、基体の底面、つまり食器用トレーの載置面に対して傾斜した状態で食器用トレーに保持される。
蓋部材の上面が平皿状の基体の底面に対する傾斜面となるように、蓋部材あるいは基体を形成する例としては、たとえば、図１（Ｂ）に示したマット状の基体４のごとく、平皿状の基体を、その上面に相当する面が基体の底面に対する傾斜面として形成するとよい。
【００４４】
このような平皿状の基体を用いる場合、前述したマット状の基体と異なり、食器を挿入するための挿入部を設ける必要がなく、食器用トレーの構成をより簡易にすることができる。
【００４５】
次に、本発明にかかる食器用トレーの別の実施の形態について、先に説明した実施の形態と異なる部分を中心に説明する。
【００４６】
本実施の形態は、基体２の底面２Ｂを凹凸面としたものである。
図５は、基体２の底面２Ｂの部分断面図であり、底面２Ｂに凹凸２Ｂ１が形成されていることを示している。凹凸２Ｂ１は、食器用トレー１の使用者に対して左右方向に延びていて、使用者の手前側から奥側に向けて多数形成されている。
【００４７】
ここで、凹凸２Ｂ１は、使用者に対する奥側が縦壁となる鋸歯で構成されている。
したがって、鋸歯状の凹凸２Ｂ１における縦壁と食器用トレー１の載置面との間には、わずかな空間が形成される。この空間が食器３内に入っている食べ物の重みで潰れるように変形すると、底面２Ｂは載置面に対して密着する。
一方、食器３内の食べ物の残存量が減少すると、食器３内の食べ物の重みの軽減により、凹凸２Ｂ１の形状復元力を利用して、底面２Ｂと食器用トレー１の載置面の間に形成される空間が再生される。
【００４８】
以上説明した実施の形態によれば、食べ物が入っている食器３の重みを利用してマット状の基体２の底面２Ｂを食器用トレー１の載置面に密着させることができる。その結果、食器用トレー１が載置面上を不用意に動くのを防止することができる。
また、食器３内の食べ物の残存量が減少した際の重みの軽減により、凹凸２Ｂ１の空間が再生されると、食器用トレー１（の底面２Ｂ）と食器用トレー１の載置面との密着が緩和される。その結果、食器用トレー１は、載置面から取り除きやすくなる。
【００４９】
次に、本発明にかかる食器用トレーのさらに別の実施の形態について、先に説明した実施の形態と異なる部分を中心に説明する。
【００５０】
これまで説明した実施の形態は、食器用トレーを構成する基体の底面が、食器用トレーの載置面に直接載置されるものであった。
本実施の形態は、基体を搭載する枠体を供えた食器用トレーであり、枠体の裏面が食器用トレーの載置面に載置される。
【００５１】
なお、本実施の形態においては、基体の上面と底面とは略平行であり、後述するように、コロ部材を備えた枠体で構成された傾斜保持手段により、基体に設けられた挿入部に挿入された食器を、食器用トレーの載置面に対して傾斜して保持する。
【００５２】
図６は、食器用トレーの傾斜保持手段を構成する枠体とコロ部材の例を示す斜視図である。
傾斜保持手段１００は、コロ部材１０１を備えた枠体１００Ａで構成されている。コロ部材１０１は、枠体１００Ａの使用者に対する奥側の枠１００Ａ１に、その左右方向中央に転動可能に設けられている。
【００５３】
コロ部材１０１は、支軸１０１Ａが枠体１００Ａにおける奥側の枠体１００Ａ１に支持されて回転できる部材であり、図６（Ｂ）に示すように、第１の面である平坦面１０１Ｂと第２の面である曲面１０１Ｃとが形成されている。
【００５４】
第１の面１０１Ｂは、支軸１０１Ａを挟んで対向する位置に２面形成されていて、各面と支軸１０１Ａまでの距離（図中、符号Ｘ，Ｙで示す距離）は異なる。ここで、距離ＸとＹの例として、Ｘ：Ｙ＝２：１に設定されているものとする。
第２の面１０１Ｃは、支軸１０１Ａを挟んで対向する位置に２面形成されていて、各面の曲率Ｒ３は平坦面に近い。
第１の面１０１Ｂと第２の面１０１Ｃとが連続する連続位置の角部は、コロ部材１０１の回転ができるように、第２の面１０１Ｃよりも小さい曲率半径Ｒ４をもつ曲面で構成されている。
【００５５】
なお、第１の面１０１Ｂと第２の面１０１Ｃは、回転方向に沿った長手方向の中心位置が９０°の位相を設定されている。
また、第１の面１０１Ｂと第２の面１０１Ｃの表面には、滑り止めとして高摩擦係数を持つシート材１０２が捲装されている。このシート材は、後述するように、コロ部材１０１が食器用トレー１’の載置面Ｄ上を転動する際に、スリップ防止効果を発揮する。
【００５６】
図６（Ｃ）（Ｄ）は、コロ部材１０１の回転により、食器用トレー１’上の食器３が傾斜する様子を示す模式図である。なお、図の左側が使用者側である。
【００５７】
図６（Ｃ）に示すように、２つの第１の面１０１Ｂのうち、支軸１０１Ａからの距離が短い第１の面１０１Ｂ（距離Ｙ）が食器用トレー１’の載置面Ｄに対向した際、枠体１００Ａの裏面は載置面Ｄに当接した状態となる。
ここで、枠体１００Ａの裏面と載置面Ｄとの間に、わずかな隙間が形成されるようにしてもよい。この場合、このわずかな隙間により、コロ部材１０１が第１の面１０１Ｂを載置面Ｄに対向させている状態から転動する際に、枠体１００Ａの裏面と載置面Ｄとの摩擦抵抗により転動ができなくなるのを回避できる。
【００５８】
図６（Ｃ）に示した、支軸１０１Ａからの距離が短い第１の面１０１Ｂが載置面Ｄに対向している状態から、枠体１００Ａを使用者の手前側から奥側に向けて移動、あるいは、これとは反対の方向に移動させると、コロ部材１０１が転動する。
コロ部材１０１が転動することで、載置面Ｄに対向していた面は、支軸１０１Ａからの距離が短い第１の面１０１Ｂから、第２の面１０１Ｃを経由して、支軸１０１Ａからの距離が長い第１の面１０１Ｂ（距離Ｘ）となる。
【００５９】
図６（Ｄ）は、支軸１０１Ａからの距離が長い第１の面１０１Ｂが載置面Ｄに対向して、枠体１００Ａの裏面が載置面Ｄに対して傾斜した状態であることを示している。つまり、食器用トレー１’上の食器３は、使用者側に傾斜した状態となっていることを示している。
【００６０】
以上説明した実施の形態によれば、枠体に設けられたコロ部材１０１が支軸１０１Ａからの距離の異なる複数の面を有し、この複数の面の中から食器用トレーの載置面に対向する面を選択するようにコロ部材１０１を転動させることで、マット状の基体の上面２Ａを傾けることができる。その結果、上面２Ａに設けられた挿入部に挿入された食器を食器用トレーの載置面に対して、傾斜した状態で保持することができる。
【００６１】
なお、コロ部材１０１の転動範囲を規定するために、図７に示す係止構造を用いることも可能である。
図７（Ａ）は、図６に示したコロ部材とは別の形態のコロ部材を備えた枠体１００の例を示す斜視図である。
図７（Ｂ）（Ｃ）は、コロ部材１０１の回転により、食器用トレー１’上の食器３が傾斜する様子を示す模式図である。なお、図の左側が使用者側である。
【００６２】
図７のコロ部材１０１は、図６（Ｂ）に示したコロ部材と異なり、支軸１０１から２つの平坦面（図６（Ｂ）の第１の面１０１Ｂに相当する面）までの距離は、略同一である。
また、コロ部材１０１を支持している支軸１０１Ａの軸端には、径方向に延長された係止ピン１０３が設けられている。
一方、係止ピン１０３が使用者の手前側あるいは奥側に向けて９０°回転する位置には、枠体１００Ａ内に固定されて係止ピン１０３を衝突させることができる係止部１０４が設けられている。
【００６３】
図７（Ｂ）に示すように、２つの平坦面のいずれか一方の面が食器用トレーの載置面Ｄに対向した状態で、枠体１００Ａの裏面と載置面Ｄとが当接した状態となる。この状態において、食器用トレー上の食器３は、載置面Ｄに対して傾斜状態とはなっていない。
【００６４】
図７（Ｂ）に示した状態から、枠体１００Ａを使用者の手前側から奥側に向けて移動させると、コロ部材１０１は、図７（Ｃ）の符号Ｒで示す向きに、係止ピン１０３が係止部１０４に衝突するまで転動する。その結果、コロ部材のそれ以上の転動が阻止される。
また、図７（Ｃ）に示すように、係止ピン１０３が係止部１０４に衝突した状態では、コロ部材の曲面（図６（Ｂ）の第２の面１０１Ｃに相当する面）が載置面Ｄと接触した状態となり、枠体１００Ａの裏面が載置面Ｄに対して傾斜した状態となる。つまり、食器用トレー１’上の食器３は、載置面Ｄに対して傾斜し、使用者側に傾いた状態となる。
【００６５】
このような係止ピン１０３と係止部１０４とを設けることで、第２の面１０１Ｃが載置面に対向する状態、つまり、マット状の基体２の上面が傾いた状態を正確に維持することができる。すなわち、食器用トレー上の食器の傾斜角度を正確に設定することができる。
【図面の簡単な説明】
【００６６】
【図１】本発明にかかる食器用トレーの実施の形態を示す図である。
【図２】本発明にかかる食器用トレーの別の実施の形態を示す図である。
【図３】本発明にかかる食器用トレーのさらに別の実施の形態を示す図である。
【図４】図３に示した食器用トレーを構成する蓋部材に取り付けられる保持手段の例を示す図である。
【図５】本発明にかかる食器用トレーのさらに別の実施の形態を示す図である。
【図６】本発明にかかる食器用トレーのさらに別の実施の形態を示す図である。
【図７】本発明にかかる食器用トレーのさらに別の実施の形態を示す図である。
【符号の説明】
【００６７】
１      食器用トレー
２      基体
２Ａ    基体の上面
２Ａ１  食器挿入部
２Ｂ    基体の底面
２Ｂ１  凹凸
３      食器
４      蓋部材
４Ａ    食器挿入穴
５      保持手段
１００      傾斜保持手段
１００Ａ    枠体
１００Ａ１  奥側の枠体
１０１      コロ部材
１０１Ａ    支軸
１０２      シート部材
Ｒ１，Ｒ２  コロ部材の中心からの距離
Ｄ          食器用トレーの載置面
【図１】
2010006410.tif 000003
【図２】
2010006410.tif 000004
【図３】
2010006410.tif 000005
【図４】
2010006410.tif 000006
【図５】
2010006410.tif 000007
【図６】
2010006410.tif 000008
【図７】
2010006410.tif 000009